(57)【要約】【課題】  曲線引装置用のアームの上下位置を微調整可能に支持するアーム支持装置を提供する。【解決手段】アーム支持装置１は、振止パイプ５に固定される支持装置本体１０と、これに上下位置調整自在に取り付けられるブラケット組立体１１とを具備する。支持装置本体１０は、振止パイプ５に固定される取付部１２と、それから左右に斜め下方へ延びる腕部１３と、それから屈曲して鉛直方向へ延びるブラケット接続部１４を持つ。ブラケット組立体１１は、上下位置調整手段を介してブラケット接続部１４に上下位置調整自在に接続される。ブラケット組立体１１は、アーム７の基端側を軸支するブラケット本体１５と、これをブラケット接続部１４に支持するブラケット支持部材１６と、これらの両者間に係合してブラケット本体１５の上下位置を調整する位置調整部材１７とを具備する。【選択図】図１
2008247232.tif 000002
【特許請求の範囲】
【請求項１】
先端側においてトロリ線を把持し、トロリ線の延線方向である前後方向に対して直交する左右方向に延びる、曲線引装置のアームの基端側を、支持構造物に支持された可動ブラケットの左右方向水平に延びる振止パイプに支持するためのアーム支持装置であって；前記振止パイプに固定される支持装置本体と；この支持装置本体に上下位置調整自在に取り付けられるブラケット組立体とを具備し；前記支持装置本体は、上端側において前記振止パイプに固定される取付部と、この取付部から前記振止パイプの下方を左右に斜め下方へ延びる腕部と、この腕部の下端から屈曲して鉛直方向へ延び前記ブラケット組立体を支持するブラケット接続部とを具備し；前記ブラケット組立体は、上下位置調整手段を介して前記ブラケット接続部に上下位置調整自在に接続されることを特徴とするトロリ線の曲線引装置用アーム支持装置。
【請求項２】
前記ブラケット組立体は、前記アームの基端側を軸支するブラケット本体と；このブラケット本体を前記ブラケット接続部に上下方向に相対移動自在に支持するブラケット支持部材と；前記ブラケット接続部とブラケット本体の両者間に係合してブラケット接続部に対してブラケット本体の上下位置を調整する位置調整部材とを具備することを特徴とする請求項１に記載のトロリ線の曲線引装置用アーム支持装置。
【請求項３】
前記ブラケット本体は、前記ブラケット接続部の前後の側面に沿う平行一対の軸受板部と、これら軸受板部の基端側を接続する接続板部とを具備し；前記ブラケット接続部は、左右方向に貫通する上下方向の長孔と、左右方向に突出するボルト受け座とを有し；前記ブラケット本体の接続板部は、前記ブラケット接続部の長孔に対応するボルト孔と、前記ボルト受け座に上下方向に対向する対応ボルト受け座を有し；前記ブラケット組立体のブラケット支持部材は、前記接続板部と対向し当該接続板部との間で前記ブラケット接続部を左右方向に挟んで当該ブラケット接続部に当接する当接部と、この当接部から突出して前記ブラケット接続部の長孔と前記ブラケット本体のボルト孔を貫通し、前記ブラケット本体の接続板部を締め付ける支持ボルトとを具備し；前記ブラケット接続部のボルト受け座と前記ブラケット本体のボルト受け座との間に渡される調整ボルトとナットとにより、ブラケット接続部に対する前記ブラケット組立体の上下位置が調整されることを特徴とする請求項１に記載のトロリ線の曲線引装置用アーム支持装置。
【請求項４】
請求項１に記載のアーム支持装置と、前記トロリ線の上方に並行して架設される吊架線を前記可動ブラケットの振止パイプの上方に左右方向水平に延びる水平主パイプに支持するための吊架線支持装置との組み合わせであって；前記吊架線支持装置は、前記水平主パイプに固定される本体と；この本体上に上下位置を調整自在に支持される吊架線保持材とを具備し；前記本体は、水平主パイプを把持するベース部材と、このベース部材から鉛直方向に立ち上がる左右一対の起立ボルトとを具備し；前記吊架線保持部材は、前記本体の起立ボルトを挿通させる一対のボルト孔を左右両側に有し、吊架線を把持して、調整ナットにより前記起立ボルト上の上下位置を調整可能に構成され；前記アーム支持装置のブラケット組立体と前記吊架線保持部材とを同調させて上下位置を調整可能とされることを特徴とするトロリ線の曲線引装置用アーム支持装置と吊架線支持装置との組み合わせ。
【発明の詳細な説明】
【技術分野】
【０００１】
この発明は、トロリ線を可動ブラケットに引き留める曲線引装置用のアームを上下位置微調整可能に支持するアーム支持装置と、このアーム支持装置と組み合わせて使用される吊架線支持装置に関する。
【背景技術】
【０００２】
従来、曲線引装置のアーム支持装置として、例えば図８に示すものが知られている（特許文献１参照）。アーム支持装置１は、電車線を電柱Ｐに吊垂支持するための可動ブラケット２に固定されている。可動ブラケット２は、水平主パイプ３と、傾斜主パイプ４と、振止パイプ５とを具備する。水平主パイプ３は、基端側において電柱Ｐに取付バンドＢで固定され、碍子Ｇを介して水平方向に延びる。傾斜主パイプ４は、同じく基端側において電柱Ｐに取付バンドＢで固定され、碍子Ｇを介して斜め上方に延び、水平主パイプ３の先端部に結合され、水平主パイプ３と協働してトラスを形成する。振止パイプ５は、水平主パイプ３と傾斜主パイプ４との間に架設され水平主パイプ３の下方を水平に延びる。アーム支持装置１は、上部が振止パイプ５に固定され、下部において曲線引装置６のアーム７を支持する。アーム７は、先端部において、イヤ８を介してトロリ線Ｔを把持する。トロリ線Ｔを吊支する吊架線Ｍは、可動ブラケット２の水平主パイプ３上に設けられた吊架線支持装置９によってトロリ線Ｔの上方に支持される。  
【特許文献１】実開平５−８２６４４号公報
【発明の開示】
【発明が解決しようとする課題】
【０００３】
電車の高速化が進むと、トロリ線の支持装置毎のわずかな高さや偏位の不正がトロリ線の硬点を形成し、局部摩耗を招来する。このため、トロリ線を把持している箇所の上下位置を微調整する必要が生じる。
上記従来のアーム支持装置は、アーム７の支持位置を上下に調整できる構造になっていない。アーム７の支持位置を上下に調整するには、上下２つの取付バンドＢの位置を変更するしかない。しかし、上下２つの取付バンドＢの位置を微調整することは実質的に不可能である。
したがって、この出願に係る発明は、曲線引装置用のアームの上下位置を微調整可能に支持するアーム支持装置と、アームの上下位置に合わせて吊架線の上下位置を微調整可能に支持するために、アーム支持装置と組み合わせて使用される吊架線支持装置を提供することを課題としている。
【課題を解決するための手段】
【０００４】
上記課題を解決するため、この出願に係る発明においては、振止パイプに固定される支持装置本体と、この支持装置本体に上下位置調整自在に取り付けられるブラケット組立体とを具備させてアーム支持装置を構成する。支持装置本体は、上端側において振止パイプに固定される取付部と、この取付部から振止パイプの下方を左右に斜め下方へ延びる腕部と、この腕部の下端から屈曲して鉛直方向へ延びブラケット組立体を支持するブラケット接続部とを具備する。ブラケット組立体は、上下位置調整手段を介してブラケット接続部に上下位置調整自在に接続される。
上記ブラケット組立体は、アームの基端側を軸支するブラケット本体と、このブラケット本体をブラケット接続部に上下方向に相対移動自在に支持するブラケット支持部材と、ブラケット接続部とブラケット本体の両者間に係合してブラケット接続部に対してブラケット本体の上下位置を調整する位置調整部材とを具備するものとすることができる。
また、上記ブラケット本体は、ブラケット接続部の前後の側面に沿う平行一対の軸受板部と、これら軸受板部の基端側を接続する接続板部とを具備するものとし、ブラケット接続部には、左右方向に貫通する上下方向の長孔と、左右方向に突出するボルト受け座とを設けて構成できる。また、ブラケット組立体のブラケット支持部材には、当接部と支持ボルトとを具備させ、当接部は、接続板部と対向しこの接続板部との間でブラケット接続部を左右方向に挟んで当該ブラケット接続部に当接させ、支持ボルトは、当接部から突出してブラケット接続部の長孔を貫通し、ブラケット本体の接続板部を締め付けるように構成できる。接続板部には、ブラケット接続部の長孔に対応するボルト孔と、ボルト受け座に上下方向に対向する対応ボルト受け座を設け、ブラケット接続部のボルト受け座とブラケット本体のボルト受け座との間に渡される調整ボルトとナットとにより、ブラケット接続部に対するブラケット組立体の上下位置を整するように構成できる。
この出願に係る発明は、さらに、上記アーム支持装置と組み合わせて使用される吊架線支持装置を提供する。吊架線支持装置は、本体と吊架線保持部材とを具備する。本体は、可動ブラケットの水平主パイプに固定されるベース部材と、このベース部材から鉛直方向に立ち上がる左右一対の起立ボルトとを具備する。吊架線保持部材は、起立ボルトを挿通させる一対のボルト孔を左右両側に有し、起立ボルトに螺合されるナットにより起立ボルト上の上下位置を定められる。吊架線支持装置は、アーム支持装置のブラケット組立体に同調させて吊架線保持部材の上下位置を調整できる。
【発明の効果】
【０００５】
この出願に係る発明のアーム支持装置によれば、支持装置本体の鉛直方向に垂下するブラケット接続部に対して、ブラケット組立体が、上下位置調整手段を介して上下位置調整自在に接続されているから、電柱に支持されている可動ブラケット自体の取付位置を移動させることなく、トロリ線の支持位置を簡易にしかも精密に微調整することができる。
また、この出願に係る発明のアーム支持装置と吊架線支持装置との組み合わせによれば、アーム支持装置によるトロリ線支持位置の微調整に同調させて、吊架線の支持位置を上下方向に微調整することができる。
【発明を実施するための最良の形態】
【０００６】
図面を参照してこの発明の実施の形態を説明する。図１はアーム支持装置と吊架線支持装置の設置状態の正面図、図２はアーム支持装置の正面図、図３はアーム支持装置の側面図、図４はアーム支持装置の斜視図、図５は吊架線支持装置の正面図、図６は吊架線支持装置の側面図、図７は吊架線支持装置の一部の斜視図である。
【０００７】
図において、アーム支持装置１を支持する可動ブラケット２の構成は、図５に示す従来のものと同等であるから、同一構成部に同一の符号を付して説明を省略する。
【０００８】
図１，２において、曲線引装置６は、アーム７とイヤ８とを具備する。イヤ８はアーム７の先端部に設けられ、トロリ線Ｔを把持する。アーム７は、トロリ線Ｔの延線方向である前後方向に対して直交する左右方向に延び、基端側においてアーム支持装置１に支持される。アーム支持装置１は、可動ブラケット２の左右方向水平に延びる振止パイプ５に支持される。
【０００９】
アーム支持装置１は、振止パイプ５に固定される支持装置本体１０と、この支持装置本体１０に上下位置調整自在に取り付けられるブラケット組立体１１とを具備する。
【００１０】
支持装置本体１０は、上端側において振止パイプ５に固定される取付部１２と、この取付部１２から振止パイプ５の下方を左右に斜め下方へ延びる腕部１３と、この腕部１３の下端から屈曲して鉛直方向へ延びるブラケット接続部１４とを具備する。取付部１２は、振止パイプ５上の左右方向の位置を選択して固定され、それによって、アーム７に牽引されるトロリ線Ｔの左右方向の位置が定められる。ブラケット接続部１４は、上下位置調整手段を介してブラケット組立体１１を上下位置調整自在に支持する。ブラケット組立体１１の上下位置調整よって、アーム７に牽引されるトロリ線Ｔの高さ位置が調整される。
【００１１】
ブラケット組立体１１は、ブラケット本体１５と、ブラケット支持部材１６と、位置調整部材１７とを具備する。ブラケット本体１５は、アーム７の基端側を軸支する。ブラケット支持部材１６は、ブラケット本体１５をブラケット接続部１４に上下方向に相対移動自在に支持する。位置調整部材１７は、ブラケット接続部１４とブラケット本体１５の両者間に係合して、ブラケット接続部１４に対してブラケット本体１５の上下位置を調整することができる。
【００１２】
支持装置本体１０のブラケット接続部１４は、前後方向に相対向する平行一対の側板１４ａと、それの左右方向一方の縁部（図において右縁部）を直角に接続する背板１４ｂとを有する溝型部材で構成される。背板１４ｂには、左右方向に貫通する上下方向の長孔１４ｃが形成され、また背板１４ｂの右側外側面には、ボルト受け座１４ｄが突設される。
【００１３】
図において、ブラケット本体１５は、ブラケット接続部１４の前後の側板１４ａの外側面に沿う平行一対の軸受板部１８と、これら軸受板部１８の基端側（図において右縁部）を直角に接続する接続板部１９とを具備する。接続板部１９は、ブラケット接続部１４の長孔１４ｃに対応するボルト孔１９ａと、ボルト受け座１４ｄを貫通させる開口１９ｂと、ボルト受け座１４ｄに上下方向に対向する対応ボルト受け座１９ｃを有する。アーム７の基端部は、一対の軸受板部１８の間に受け入れられ、軸受孔１８ａ，１８ｂに挿通されるボルト２０，２１で支持される。
【００１４】
ブラケット支持部材１６は、当接板部２２と支持ボルト２３とを具備する。当接板部２２は、ブラケット本体１５の接続板部１９と対向し、それとの間でブラケット接続部１４の背板１４ｂを左右方向に挟んで背板１４ｂの左内側面に当接する。支持ボルト２３は、この当接板部２２の側面から突出して、ブラケット接続部１４の長孔１４ｃとブラケット本体１５のボルト孔１９ａを貫通し、ナット２４と協働して接続板部１９を締め付ける。
【００１５】
位置調整部材１７は、ボルト２５とナット２６で構成される。ボルト２５は、ボルト受け座１４ｄ，１９ｃ間に挿通され、ナット２６と協働して、ブラケット接続部１４に対するブラケット組立体１１の上下位置を調整する。
【００１６】
吊架線支持装置９は、可動ブラケット２の水平主パイプ３上に固定される本体２７と、この本体２７上に、吊架線Ｍを把持しつつ、上下位置を調整自在に支持される吊架線保持材２８とを具備する。水平主パイプ３上における本体２７の固定位置は、トロリ線Ｔの真上になるように設定される。
【００１７】
図５ないし図７に示すように、本体２７は、水平主パイプ３を把持するベース部材２９と、このベース部材２９から鉛直方向に立ち上がる左右一対の起立ボルト３０とを具備する。吊架線保持部材２８は、受板３１、樋状金具３２、当て板３３、Ｕ字ボルト３４、ナット３５を具備する。
【００１８】
受板３１は、本体の起立ボルト３０を挿通させる一対のボルト孔３１ａを左右両側に有し、調整ナット３６により起立ボルト３０上の上下位置を調整可能に構成される。樋状金具３２は、それの溝部に吊架線Ｍを挿通させるように、受板３１の中央上部に溶着される。受板３１は、樋状金具３２の両側部に、Ｕ字ボルト３４を通すための挿通孔３１ｂを有する。当て板３３は、左右両側にＵ字ボルト３４の挿通孔３３ａを有し、吊架線Ｍを挟んで樋状金具３２の上方に対向し、ナット３５の締め付けにより吊架線Ｍを把持する。
【００１９】
アーム支持装置１における取付部１２の左右位置調整により、アーム７の左右位置、即ちこれに把持されるトロリ線Ｔの左右位置が調整され、またブラケット組立体１１の上下位置調整により、トロリ線Ｔの上下に支持位置が調整される。この位置調整の際に、トロリ線Ｔの左右位置、高さ位置に同調させて、吊架線Ｍの支持位置を吊架線支持装置９により上下左右方向に微調整する。
【図面の簡単な説明】
【００２０】
【図１】本発明に係るアーム支持装置の設置状態の正面図である。
【図２】本発明に係るアーム支持装置の正面図である。
【図３】本発明に係るアーム支持装置の側面図である。
【図４】アーム支持装置の斜視図である。
【図５】吊架線支持装置の正面図である。
【図６】吊架線支持装置の側面図である。
【図７】吊架線支持装置の一部の斜視図である。
【図８】従来のアーム支持装置の正面図である。
【符号の説明】
【００２１】
１      アーム支持装置
２      可動ブラケット
３      水平主パイプ
４      傾斜主パイプ
５      振止パイプ
６      曲線引装置
７      アーム
８      イヤ
９      吊架線支持装置
１０    支持装置本体
１１    ブラケット組立体
１２    取付部
１３    腕部
１４    ブラケット接続部
１５ａ  側板
１５ｂ  背板
１５ｃ  長孔
１５ｄ  ボルト受け座
１５    ブラケット本体
１６    ブラケット支持部材
１７    位置調整部材
１８    軸受板部
１８ａ  軸受孔
１８ｂ  軸受孔
１９    接続板部
１９ａ  ボルト孔
１９ｃ  ボルト受け座
２０    ボルト
２１    ボルト
２２    当接板部
２３    支持ボルト
２４    ナット
２５    ボルト
２６    ナット
２７    吊架線支持装置の本体
２８    吊架線保持材
２９    ベース部材
３０    起立ボルト
３１    受板
３１ａ  ボルト孔
３２    樋状金具
３３    当て板
３３ａ  ボルト挿通孔
３４    Ｕ字ボルト
３５    ナット
３６    調整ナット
Ｂ      取付バンド
Ｍ      吊架線
Ｐ      電柱
Ｔ      トロリ線
【図１】
2008247232.tif 000003
【図２】
2008247232.tif 000004
【図３】
2008247232.tif 000005
【図４】
2008247232.tif 000006
【図５】
2008247232.tif 000007
【図６】
2008247232.tif 000008
【図７】
2008247232.tif 000009
【図８】
2008247232.tif 000010